(57)【要約】【課題】ガーゼを取り出す際に収容してあるガーゼボールが容易にほぐれるようにする。【解決手段】正方形のガーゼを蛇腹折りに折り畳んでガーゼボール１１’とし、ガーゼ収容凹部４のそれぞれに収容し、ガーゼの角部Ｃの端片１３ｃをガーゼ引抜孔５から突出しておく。使用時には、端片１３ｃをピンセットＰで挟んで引き抜く。ガーゼボール１１’は蛇腹折りとしていることにより、ガーゼ引抜孔５から引き抜かれる際に容易にほぐれ、手術において使用し易い形状のガーゼに復元させることができる。【選択図】図７
2011004776.tif 000002
【特許請求の範囲】
【請求項１】
合成樹脂材から成り、所定数のガーゼ収容凹部を形成し、該ガーゼ収容凹部の各底部にガーゼ引抜孔を設け、前記ガーゼ収容凹部には前記ガーゼを丸めたガーゼボールを収容し、前記ガーゼ引抜孔から前記ガーゼの一部を引き出したことを特徴とするガーゼホルダ。
【請求項２】
前記ガーゼホルダは半透明又は透明としたことを特徴とする請求項１に記載のガーゼホルダ。
【請求項３】
前記ガーゼ収容凹部は底部側に向けてすぼめたことを特徴とする請求項１に記載のガーゼホルダ。
【請求項４】
前記ガーゼボールは前記ガーゼを蛇腹折りとし、前記ガーゼの角部を前記ガーゼ引抜孔から引き出したことを特徴とする請求項１〜３の何れか１つの請求項に記載のガーゼホルダ。
【請求項５】
ガーゼホルダはトレイに収容するようにしたことを特徴とする請求項１に記載のガーゼホルダ。
【請求項６】
前記トレイに前記ガーゼホルダを装着し、血液を吸収した前記ガーゼを前記ガーゼホルダに回収し、全体の重量を計測することにより、前記ガーゼが吸収した血液量を計測することを特徴とする請求項５に記載のガーゼホルダ。
【請求項７】
前記ガーゼボールを収容したガーゼホルダは密封して滅菌したことを特徴とする請求項１〜６の何れか１つの請求項に記載のガーゼホルダ。
【発明の詳細な説明】
【技術分野】
【０００１】
本発明は、外科手術等において用いるガーゼを所定枚数だけ、収容したガーゼホルダに関するものである。
【背景技術】
【０００２】
従来から、外科手術中に使用するガーゼは、複数枚のガーゼを積層した最上層のガーゼからピンセットを用いたり、手で取り出して使用するため、１枚ずつの取り出しが厄介である。また、手術後にガーゼを患者の体内に残置してしまう虞れがないように、手術の安全性の確保のために、手術中に使用したガーゼの枚数を確認する必要がある。
【０００３】
そのため、医師、看護師が手術前に用意したガーゼの枚数を計数しておき、患部の縫合前に回収したガーゼの枚数が一致するか否かを確認している。
【０００４】
特許文献１においては、手術において使用したガーゼの枚数を容易に計数することができるガーゼホルダが開示されている。このガーゼホルダは１つのガーゼホルダには所定数のガーゼ穴が設けられ、このガーゼ穴にガーゼを収容しているため、手術で用意したガーゼの枚数を容易に計数することができる。
【０００５】
また、特許文献２においては、シート状のガーゼホルダに切目を形成し、所定枚数のガーゼを係止しているため、この場合も用意するガーゼの枚数を容易に計数することができる。
【先行技術文献】
【特許文献】
【０００６】
【特許文献１】実公平４−４８１７４号公報
【特許文献２】特許３４４７６５５号公報
【発明の概要】
【発明が解決しようとする課題】
【０００７】
しかしながら上述の特許文献１におけるガーゼホルダは、単にガーゼ穴にガーゼを収容しているだけであり、このガーゼ穴からガーゼを取り出しても丸まった状態であり、手術で使用する際には医師、看護師がガーゼをほぐす必要がある。また、使用後のガーゼは血液を吸収して膨張しているため、空いたガーゼ穴に再び収納することは困難である。
【０００８】
特許文献２のガーゼホルダは、ガーゼホルダにガーゼを丸めずにシート状のまま係止部に係止しているため、ガーゼをほぐす必要はない。しかし、手術後にガーゼを計数する際には、ガーゼを１枚ずつ係止部に係止する必要があり、計数に時間と手間を要する。
【０００９】
本発明の目的は、上述の課題を解決し、ガーゼを取り出す際に収容してあるガーゼが容易にほぐれると共に、使用後のガーゼを再び回収して収容できるため、使用ガーゼの枚数を容易に確認できるガーゼホルダを提供することにある。
【課題を解決するための手段】
【００１０】
上記目的を達成するための本発明に係るガーゼホルダは、合成樹脂材から成り、所定数のガーゼ収容凹部を形成し、該ガーゼ収容凹部の各底部にガーゼ引抜孔を設け、前記ガーゼ収容凹部には前記ガーゼを丸めたガーゼボールを収容し、前記ガーゼ引抜孔から前記ガーゼの一部を引き出したことを特徴とする。
【発明の効果】
【００１１】
本発明に係るガーゼホルダは、ガーゼホルダからガーゼを取り出す際に、ガーゼを容易にほぐすことができ、更には回収した後のガーゼ数の不一致も容易に確認でき、医師、看護師の負担を大幅に軽減することができる。
【図面の簡単な説明】
【００１２】
【図１】実施例の平面図である。
【図２】実施例の正面図である。
【図３】ガーゼの折り畳み方の説明図である。
【図４】ガーゼを丸めた状態の斜視図である。
【図５】ガーゼホルダにガーゼを収容した状態の斜視図である。
【図６】ガーゼホルダとトレイの分解斜視図である。
【図７】ガーゼホルダからガーゼを引き抜く状態の斜視図である。
【図８】ガーゼを回収する際のガーゼホルダとトレイの斜視図である。
【発明を実施するための形態】
【００１３】
本発明を図示の実施例に基づいて詳細に説明する。
図１は実施例のガーゼホルダの平面図、図２は正面図をそれぞれ示している。透光性を有する透明又は半透明のポリプロピレン等の合成樹脂材から成るガーゼホルダ１には、周縁のフランジ部２の平面よりも落ち込んだ平坦部３が設けられ、この平坦部３には折り畳んだガーゼボールを収容するために底部側に向けてすぼめた、例えば１０個のガーゼ収容凹部４が形成されている。そして、このガーゼ収容凹部４の底部には、ガーゼを引き抜くための例えば丸孔や十字状の切込み等の種々の形状のガーゼ引抜孔５が形成されている。また、平坦部３の上面には把持のための把持部６が設けられている。
【００１４】
図３はガーゼ収容凹部４に収容するガーゼボールの折り畳み方の説明図である。（ａ）に示すように、例えば一辺が３０ｃｍの正方形のガーゼ１１の辺ＡＢに略平行で、かつ辺ＡＢの近傍に１本のＸ線造影糸１２を織り込んだガーゼ１１を用いる。（ｂ）に示すように、ガーゼ１１の対角に位置する角部Ｂ、Ｃから３ｃｍ程度離れた位置ｂ、ｃを結ぶ線分に沿って、角部Ｄ側の三角形を内折りする。このように、角部Ｂ、Ｃから３ｃｍ程度離れた位置ｂ、ｃにおいてガーゼ１１を折ることにより、ガーゼ１１が重ならない２つの端片１３ｂ、１３ｃを角部Ｂ、Ｃにおいて得ることができる。
【００１５】
続いて（ｃ）に示すように、（ｂ）で内折りした部分を更に３ｃｍ程度の幅で外折りした後に、（ｄ）に示すように、再度３ｃｍ程度の幅で内折りする。このような内折り、山折りを繰り返した蛇腹折りを行い、更に角部Ａ側の三角形についても同様に蛇腹折りを行い、ガーゼ１１を（ｅ）に示すよう帯状形状とする。
【００１６】
そして、（ｅ）の帯状形状としたガーゼ１１を、図４に示すよう角部Ｃ側から角部Ｂ側に丸めるように巻くことにより、ボール形状のガーゼボール１１’が得られる。このとき、角部Ｃ側の端片１３ｃを下方に垂らしておくことが必要であり、Ｘ線造影糸１２がガーゼボールの外面に位置するようにすることが好ましい。
【００１７】
図５はこのように丸めたガーゼボール１１’をガーゼホルダ１のガーゼ収容凹部４にそれぞれ収容した状態の斜視図である。ガーゼボール１１’をガーゼ収容凹部４に押し込んで収容する際には、ガーゼボール１１’の端片１３ｃをガーゼ引抜孔５から下方に突出させる。また、Ｘ線造影糸１２をガーゼボール１１’の外面に配置し、透光性を有するガーゼホルダ１のガーゼ収容凹部４にガーゼボール１１’を収容しても、ガーゼホルダ１のガーゼ収容凹部４越しにＸ線造影糸１２を容易に視認することができる。
【００１８】
ガーゼホルダ１を出荷するに当っては、図６に示す斜視図に示すように、ガーゼボール１１’を収容したガーゼホルダ１を、フランジ部２１及びその内側に段部２２を有するトレイ２３に収納し、ガーゼホルダ１のフランジ部２をトレイ２３の段部２２に係止する。また、トレイ２３のフランジ部２１に滅菌紙２４を接着して密封し、エチレンオキサイド等の滅菌ガスを用いて滅菌する。なお、トレイ２３の段部２２からの深さはガーゼ収容凹部４の深さよりも大きくし、トレイ２３の底部とガーゼ収容凹部４の底部との間に隙間が存在することが好ましい。
【００１９】
使用に際しては、フランジ部２１から滅菌紙２４を剥がした後に、把持部６を把持してトレイ２３からガーゼホルダ１を取り出す。そして、図７に示すようにガーゼホルダ１を逆向きとして使用する。このように、ガーゼホルダ１を逆さまとしても、ガーゼボール１１’はガーゼ収容凹部４に対する摩擦抵抗により落下することはない。続いて、ガーゼ引抜孔５から突出したガーゼボール１１’の端片１３ｃをピンセットＰを用いて引き抜く。また、ピンセットＰを使用せずに医師や看護師が手袋等をした手で、ガーゼボール１１’の端片１３ｃを引き抜いてもよい。
【００２０】
なお、全てのガーゼボール１１’は一旦ガーゼホルダ１から引き抜いて使用することにより迅速に対応できるので好ましいが、手術中に必要に応じて１枚ずつ引き抜くこともできる。
【００２１】
このとき、端片１３ｃはガーゼボール１１’の内側に巻かれているので、端片１３ｃを引き出せば、残りのガーゼ１１を円滑に引き出すことができる。また、ガーゼボール１１’は蛇腹折りとしていることにより、ガーゼ引抜孔５から引き抜かれる際に容易にほぐれ、手術において使用し易い形状のガーゼ１１に復元させることができる。
【００２２】
使用済みのガーゼ１１”を患者の体内から回収する際には、図８に示すようにトレイ２３内にガーゼホルダ１をガーゼ収容凹部４を上向きにして装着し、フランジ部２によりトレイ２３の段部２２に係止する。この状態で、ガーゼホルダ１の空いているガーゼ収容凹部４に、使用、未使用関係なく、ガーゼ１１、１１”をそれぞれ収容し、全てのガーゼ収容凹部４内にガーゼ１１、１１”が戻っているかどうかを確認する。これにより、患者の体内にガーゼ１１を残置することを防止できる。
【００２３】
また、ガーゼ１１”の回収中に、ガーゼ１１”に含まれる血液の一部は、ガーゼ収容凹部４のガーゼ引抜孔５からトレイ２３内に落下するので、血液を含んで膨張したガーゼ１１”でも容易に押し込むことが可能となる。
【００２４】
また、ガーゼホルダ１のフランジ部２よりも平坦部３の高さを低くしたことにより、ガーゼ収容凹部４に血液を含むガーゼ１１”を押し込んだ際に、血液がフランジ部２から溢れて外部に流れ出すことを防ぐことができる。
【００２５】
トレイ２３に落下した血液はトレイ２３の底部に溜まり、外部に流出することがないため、使用前後の重量を計測することにより、ガーゼ１１”が吸収した血液量を算出することができ、おおよその出血量を推定することができる。
【００２６】
例えば、１枚のガーゼ１１の重量を３グラム、ガーゼホルダ１の重量を１２グラム、トレイ２３の重量を１２グラムとし、ガーゼ１１、１１”を回収後の全体の重量が２００グラムであれば、２００−３×１０−１２−１２＝１４６となり、血液の重量は１４６グラムと算出することができる。
【００２７】
また廃棄の際には、ガーゼホルダ１、ガーゼ１１、１１”、トレイ２３、滅菌紙２４を共に廃棄することができるので簡便である。
【００２８】
ガーゼ１１を収容したガーゼホルダ１は、必ずしもトレイ２３を付随することなく、ガーゼ１１を収容したガーゼホルダ１ごと、ビニール袋や滅菌紙による袋等に入れて密封し、滅菌するようにしてもよい。
【００２９】
なお、実施例においては、Ｘ線撮影することにより患者体内に残置されたガーゼ１１を発見するために、Ｘ線造影糸１２を織り込んだガーゼ１１を用いたが、必ずしもＸ線造影糸１２は用いなくともよい。
【符号の説明】
【００３０】
１  ガーゼホルダ
２、２１  フランジ部
３  平坦部
４  ガーゼ収容凹部
５  ガーゼ引抜孔
６  把持部
１１、１１”  ガーゼ
１１’  ガーゼボール
１２  Ｘ線造影糸
１３ｂ、１３ｃ  端片
２２  段部
２３  トレイ
２４  滅菌紙
【図１】
2011004776.tif 000003
【図２】
2011004776.tif 000004
【図３】
2011004776.tif 000005
【図４】
2011004776.tif 000006
【図５】
2011004776.tif 000007
【図６】
2011004776.tif 000008
【図７】
2011004776.tif 000009
【図８】
2011004776.tif 000010